(57)【要約】【課題】  無機質板を躯体に固定し、その脱落を防止できるその固定方法およびそのための治具の提供。【解決手段】  躯体への固定部、目地間隔に対応した幅の凸部であるスペーサ部、および大型無機質板を化粧面から当接し、支える支持部を備えた支持治具を、複数の前記大型無機質板の目地交差部に、スペーサ部を大型無機質板間に入れ込みながら配設し、大型無機質板を躯体に張り付け、かつ支持治具の固定部により大型無機質板をさらに躯体に固定する。経時的な劣化などで接着剤などによる固定が十分でなくなった場合でも、支持治具が存在するため、脱落や、脱落に伴う被害を防ぐことができる。つまり、無機質板の躯体への二重化された固定方法が提供される。【選択図】  図１
2017089191.tif 000002
【特許請求の範囲】
【請求項１】
化粧面と施工面とを有する大型無機質板の複数を、その間に目地を設けて躯体に固定する方法であって、
（ａ）  躯体への固定部、目地間隔に対応した幅の凸部であるスペーサ部、および前記大型無機質板を前記化粧面から当接し、支える支持部を備えた支持治具を用意する工程と、
（ｂ）  前記支持治具を、複数の前記大型無機質板の目地交差部に、前記スペーサ部を前記大型無機質板間に入れ込みながら配設する工程と、
（ｃ）  前記大型無機質板を躯体に張り付ける工程と、
（ｄ）  前記固定部により前記大型無機質板を躯体に固定する工程と
を含んでなる、方法。
【請求項２】
前記支持部が略四角形または円形であり、前記大型無機質板の４枚に当接してそれらを支える、請求項１に記載の方法。
【請求項３】
前記支持部が、４枚の大型無機質板を、ほぼ同じ面積でそれぞれに当接して支える、請求項２に記載の方法。
【請求項４】
前記支持部を構成する四角形の４辺、または４つの頂点の箇所に前記スペーサ部を有する、請求項２または３に記載の方法。
【請求項５】
前記スペーサ部が突起状の凸部である、請求項１〜４のいずれか一項に記載の方法。
【請求項６】
前記スペーサ部が、直線状に設けられた凸部である、請求項１〜４のいずれか一項に記載の方法。
【請求項７】
前記支持部が円形であり、前記スペーサ部が、相互に直交する２本の直径線と、前記支持部の円周とが交差する位置に設けられた凸部である、請求項２に記載の方法。
【請求項８】
前記支持部が円形であり、前記スペーサ部が、相互に直交する２本の直径線の線上に設けられた凸部である、請求項２に記載の方法。
【請求項９】
前記支持部が中抜きされ、周縁部が略四角形または円形を形成し、前記周縁部が無機質板を支持する、請求項１〜８のいずれか一項に記載の方法。
【請求項１０】
前記大型無機質板が、前記支持部に対応した凹部を化粧面に有する、請求項１〜９のいずれか一項に記載の方法。
【請求項１１】
前記固定部が貫通孔であり、アンカーを挿入して、当該アンカーを躯体に固定する、請求項１〜１０のいずれか一項に記載の方法。
【請求項１２】
前記大型無機質板が短辺９００ｍｍ以上、厚さ１５ｍｍまでのものである、請求項１〜１１のいずれか一項に記載の大型無機質板。
【請求項１３】
請求項１〜１２のいずれかに一項に記載の無機質板を躯体に固定する方法に用いられる支持治具であって、
躯体への固定部、目地間隔に対応した幅の凸部であるスペーサ部、および前記大型無機質板を前記化粧面から当接し、支える支持部を備えてなり、
複数の前記大型無機質板の目地交差部に配設して用いられることを特徴とする、支持治具。
【請求項１４】
躯体に固定された複数の大型無機質板構造物であって、
複数の前記大型無機質板の目地交差部に支持治具が配設されてなり、ここで当該支持治具は、躯体への固定部、目地間隔に対応した幅の凸部であるスペーサ部、および前記大型無機質板を前記化粧面から当接し、支える支持部を備えてなり、前記スペーサ部が前記複数の大型無機質板間の目地に置かれ、
前記支持治具の躯体への固定部において前記大型無機質板に固定され、かつ
前記大型無機質板が躯体に張り付けられ固定されてなることを特徴とする、大型無機質板構造物。
【発明の詳細な説明】
【技術分野】
【０００１】
本発明は、壁などの躯体に固定される大型の無機質板に関し、さらに詳しくは接着剤などで貼着する固定手段に加えた固定手段を施すことが可能であり、その脱落などを防止できる大型無機質板およびその施工方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような大型無機質板を壁面などに施工する場合、経年により剥離や割れが発生しても、脱落並びに脱落に伴う被害を抑止することが必要になる。特に大型無機質板を外装材としてする場合には、脱落並びに脱落に伴う被害を抑止可能な施工システムが重要になる。
【０００４】
また、その大きさがこれまでのタイルなどと比べて大きく、またその重量も重くなるため、微妙な位置あわせ、目地幅調整を容易に行う方法が同時に求められている。
【０００５】
特開２０１１−１９６０６１号公報（特許文献６）に、複数のタイルを連結材により連結したタイルユニットの開示があるが、連結材はタイルの裏面に設けられたものであり、またタイルに対し躯体に固定する力を直接印可する構造を取っていない。
【先行技術文献】
【特許文献】
【０００６】
【特許文献１】特開平８−６８１８３号公報
【特許文献２】特開平１１−１５９１０２号公報
【特許文献３】特開２０１５−１０３８０号公報
【特許文献４】特開平６−１０１３２１号公報
【特許文献５】特開２０１３−３２６６７号公報
【特許文献６】特開２０１１−１９６０６１号公報
【発明の概要】
【発明が解決しようとする課題】
【０００７】
本発明は、接着剤による固定手段に加え、大型無機質板を躯体に固定し、その脱落を防止できる、かつ大型無機質板の位置あわせ、目地幅調整を容易に行うことが可能な固定方法の提供を目的とする。
【課題を解決するための手段】
【０００８】
そして、本発明による無機質板を躯体に固定する方法は、化粧面と施工面とを有する大型無機質板の複数を、その間に目地を設けて躯体に固定する方法であって、
（ａ）  躯体への固定部、目地間隔に対応した幅の凸部であるスペーサ部、および前記大型無機質板を前記化粧面から当接し、支える支持部を備えた支持治具を用意する工程と、
（ｂ）  前記支持治具を、複数の前記大型無機質板の目地交差部に、前記スペーサ部を前記大型無機質板間に入れ込みながら配設する工程と、
（ｃ）  前記大型無機質板を躯体に張り付ける工程と、
（ｄ）  前記固定部により前記大型無機質板を躯体に固定する工程と
を含んでなることを特徴とする。
【図面の簡単な説明】
【０００９】
【図１】本発明の一つの態様による固定方法により、４枚の大型無機質板が躯体に固定された状態の図である。
【図２】（ａ）は、図１の態様において、支持治具１０が配設されている近傍の拡大図であり、図２（ｂ）は、支持治具１０の斜視図である。
【図３】（ａ）は四角形の支持部の４辺にスペーサ部が置かれて態様の支持治具であり、（ｂ）はスペーサ部が直線状に設けられた凸部である態様の図である。
【図４】（ａ）は本発明による別の態様の円形の支持治具が、４つの大型無機質板に当接して配設されている近傍の拡大図であり、（ｂ）は支持治具の斜視図である。
【図５】躯体に張り付けられた大型無機質板を、支持治具の固定部により躯体にさらに固定した状態を示す図である。
【発明を実施するための形態】
【００１０】
以下、本発明を、図面を参照しながら説明する。
図１は、本発明の一つの態様による固定方法により、４枚の大型無機質板が躯体に固定された状態の図である。図中、大型無機質板１が目地２をその間に設けられて固定され、目地２の交点に支持治具１０が配設されている。
【００１１】
本発明による大型無機質板は、例えば陶磁器、石、またはガラスからなるものである。本発明において無機質板は、平板として、外装または内装の壁、床、天井の仕上げ材や、キャビネット面材やカウンターの仕上げ材に好ましく用いられる。その大きさは、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明による方法は、例えば厚さは３ｍｍ以上８ｍｍ程度まで、望ましくは１０ｍｍ程度までの大型無機質板に好ましく適用できる。
【００１２】
上記の大型無機質板の本発明による固定方法は、工程（ａ）〜（ｄ）から基本的になる。以下、本発明による固定方法を工程ごとに説明する。
【００１３】
工程（ａ）
本発明による固定方法に用いられる支持治具を用意する工程である。
図２（ａ）は、図１の態様において、支持治具１０が配設されている近傍の拡大図であり、図２（ｂ）は、支持治具１０の斜視図である。図において、支持治具１０は、略四角形であり、アンカー用穴である躯体への固定部１１、目地２の間隔に対応した幅の凸部である４つのスペーサ部１２、および大型無機質板を化粧面から当接し、支える支持部１３を備える。
【００１４】
本発明による固定方法に用いられる支持治具は、２〜４枚の大型無機質板が配置されることで形成される目地交差部に取り付けられる。従って、図２の態様において、略四角形の支持部１３は大型無機質板の４枚に当接する。支持部１３が４枚の大型無機質板と当接する面積はほぼ同じとされることが好ましい。この図の態様においてスペーサ部１２は、四角形の支持部１３の４つの頂点の箇所に置かれるが、本発明の別の態様によれば、図３（ａ）に示されるように四角形の支持部の４辺にスペーサ部が置かれてもよい。また、図２の態様にあってスペーサ部は突起状の凸部であるが、図３（ｂ）に示されるように、直線状に設けられた凸部であってもよい。
【００１５】
本発明の一つ態様によれば、大型無機質板１の化粧面には、支持治具１０の支持部１３が当接する部位に、支持部１３の形状に合わせて凹部を設けることが好ましい。この凹部には、後記する工程（ｂ）において、支持部１３が嵌め込まれる。この態様において、この凹部の深さは支持部１３の厚さとほぼ同じとすることがさらに好ましい。
【００１６】
図４（ａ）は、本発明による別の態様の支持治具２０が、４つの大型無機質板に当接して配設されている近傍の拡大図であり、図４（ｂ）は、支持治具２０の斜視図である。図において、支持治具２０は円形であり、中央にアンカー用穴である躯体への固定部２１、目地２の間隔に対応した幅の凸部であり、２本の直交する直径線であるスペーサ部２２、そして大型無機質板を化粧面から当接し、支える支持部２３を備える。この態様において支持部２３は、中抜きされ、円形の周縁部とされている。この周縁部が大型無機質板の化粧面と当接する。
【００１７】
この態様にあっても、支持治具２０の支持部２３が当接する、大型無機質板１の施工面２に、支持部２３の円形の形状に合わせ、かつ好ましくは支持部２３の厚さとほぼ同じ深さの４分の１円の扇型の凹部を設ける。この凹部には、後記する工程（ｂ）において、支持部２３がはめ込まれる。
【００１８】
本発明において支持治具を構成する素材は、大型無機質板の固定に必要な強度を有する限り特に限定されないが、例えば金属、樹脂などにより構成されてよい。
【００１９】
工程（ｂ）および（ｃ）
本発明の一つに態様によれば、上記した支持治具を複数の大型無機質板の目地交差部に、スペーサ部を大型無機質板間に入れ込みながら置き、大型無機質板の位置決めをし、その位置に大型無機質板を躯体に張り付ける。また、本発明の別の態様によれば、大型無機質板を躯体に張り付け、好ましくは仮付した後、上記した支持治具を目地交差部に置き、大型無機質板の位置を最終的に決めて、これを張り付ける。すなわち、本発明による方法にあっては、工程（ｂ）と、工程（ｃ）が実施される順序は問わず、また実質的に同時に行われる態様も本発明に包含される。
【００２０】
本発明の方法によれば、上記した支持治具のスペーサ部が目地交差部に置かれることで、大型無機質板の位置が正確に定まる。つまり、大型無機質板の位置あわせ、および目地幅調整を、支持治具をその交差部に置くという操作により容易におこなうことができる。本発明によれば、その大きさがこれまでのタイルなどと比べて大きく、またその重量も重くなる大型無機質板の、微妙な位置あわせ、目地幅調整を容易に行うことができるという利点が得られる。
【００２１】
上記のように大型無機質板の化粧面に、支持部に対応する凹部が設けられている態様にあっては、支持治具の支持部を、大型無機質板の凹部に嵌め込む。スペーサ部による大型無機質板の位置あわせ、および目地幅調整に加え、この支持部のはめ込みにより、より正確に位置合わせ、目地幅調整が行うことができ、これはこの態様の大きな利点である。
【００２２】
大型無機質板の躯体への張り付けは、具体的には、躯体の表面に接着剤を塗布し、大型無機質板を張り付けることにより行われても、大型無機質板の裏面、すなわち化粧面とは反対側の面に、接着剤を塗付して躯体の表面に張り付けて行われても良い。
【００２３】
躯体張り付けのための接着剤としては、無機質無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状の接着剤、ホットメルト接着剤、テープ状に成形されたもののいずれも好適に使用可能である。
【００２４】
工程（ｄ）
本発明による方法にあって、躯体に張り付けられた大型無機質板は、支持治具の固定部により大型無機質板を躯体にさらに固定される。図５は、躯体に張り付けられた大型無機質板を、支持治具の固定部により躯体にさらに固定された状態を示す図である。図に示された態様にあっては、貫通孔１１に対応する躯体３１の表面３２の箇所にアンカー固定用の穴３３が固定部として設けられており、この貫通孔１１から固定手段であるビスまたはアンカーボルト３４を固定用穴３３に打ち込みまたは嵌合させることにより、大型無機質板１は躯体３１に固定されることとなる。また、この図の態様にあっては、支持部１３の形状に合わせ、かつ支持部１３の厚さとほぼ同じ深さの凹部３５が設けられ、ここに支持治具１０が置かれている。
【００２５】
本発明による方法にあっては、大型無機質板に、接着剤による固定手段に加え、支持治具による固定手段が施される。すなわち、本発明によれば、大型無機質板は二つの手段により固定される。本発明によれば、従って、経時的な劣化などで接着剤などによる固定が十分でなくなった場合でも、支持治具によるもう一つの固定手段が存在するため、脱落や、脱落に伴う被害を防ぐことができるとの利点が得られる。
【００２６】
さらに、本発明によれば、支持治具の存在を積極的に施工された大型無機質板の意匠の一部とすることができる。つまり、化粧面に固定手段を出さずに大型無機質板の意匠的価値を維持するのとは別の発想で、積極的に指示治具を施工面に見せて、その意匠性を高めるものとすることができる。本発明にあっては、固定部、スペーサ部、および支持部を有すればその形状の自由度は比較的高く、許容されるデザインの幅が広いといえる。
【００２７】
なお、本発明において、大型無機質板の裏面と躯体との接着剤による張り付けは、大型無機質板と躯体表面との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、固定に用いられるビスやアンカーボルトは躯体に固定されていることが好ましい。
【００２８】
本発明による支持治具、および躯体に固定された大型無機質板
以上の説明から明らかなように、本発明の別の態様によれば、上記した本発明による無機質板の固定方法に用いられる支持治具が提供される。この支持治具は、躯体への固定部、目地間隔に対応した幅の凸部であるスペーサ部、および前記大型無機質板を前記化粧面から当接し、支える支持部を備えてなり、複数の前記大型無機質板の目地交差部に配設して用いられることを特徴とする支持治具である。
【００２９】
また、本発明によれば、上記した本発明による固定方法により固定された複数の大型無機質板構造物が提供され、複数の大型無機質板の目地交差部には支持治具が配設されてなり、ここで当該支持治具は、躯体への固定部、目地間隔に対応した幅の凸部であるスペーサ部、および大型無機質板を化粧面から当接し、支える支持部を備えてなり、スペーサ部が複数の大型無機質板間の目地に置かれ、支持治具の躯体への固定部において大型無機質板に固定され、かつ大型無機質板が躯体に張り付けられ固定されてなることを特徴とする。
【符号の説明】
【００３０】
１・・大型無機質板、２・・目地、１０、２０・・支持治具、１１、２１・・固定部、１２、２２・・スペーサ部、１３、２３・・支持部、３１・・躯体、３２・・躯体表面、３３・・アンカー固定用の穴
【図１】
2017089191.tif 000003
【図２】
2017089191.tif 000004
【図３】
2017089191.tif 000005
【図４】
2017089191.tif 000006
【図５】
2017089191.tif 000007